(57)【要約】  【課題】  一般家庭用として比較的ソフトなアクセント光を放つ照明装置を提供する。  【解決手段】  照明器具本体１の下面にグローブ２を設ける。前記照明器具本体１の上面側から支持された複数の光源３及び各光源３の光を導入する複数の導光飾り４を設ける。前記導光飾り４は前記グローブ２の外周に近接している。なお、光源３…と導光飾り４…は略１２０°または略９０°間隔に設けるとよい。また、照明器具本体１の下面、すなわちグローブ２の内部には主光源５となる蛍光ランプが収められ、その主光源５の消灯時などに光源３を点灯させて導光飾り４を光らせるとよい。【選択図】  図４
2005158546.tif 000002
【特許請求の範囲】
【請求項１】
下記要件(A)〜(C)を備えた照明装置。
(A) 照明器具本体の下面にグローブを設ける。
(B) 前記照明器具本体の上面側から支持された複数の光源及び各光源の光を導入する複数の導光飾りを設ける。
(C) 前記導光飾りは前記グローブの外周に近接している。
【請求項２】
下記要件(A)〜(C)を備えた照明装置。
(A) 照明器具本体の下面にグローブを設ける。
(B) 前記照明器具本体の上面側から支持された複数の光源を設ける。
(C) 前記グローブの外周に固定された複数の導光飾りが前記各光源に近接配置されている。
【発明の詳細な説明】
【技術分野】
【０００１】
本発明は、複数の導光飾りを光アクセントとして用いた照明装置、殊に一般的な家庭用照明器具に目新しい光装飾効果をもたらす照明装置に関する。
【背景技術】
【０００２】
複数の発光ダイオードを光アクセントとして用いた照明装置は特許文献１で知られ、照明器具本体に取り付けたセードやグローブに複数の発光ダイオードを点在させている。
【特許文献１】特開２００２−３１３１０６号公報
【発明の開示】
【発明が解決しようとする課題】
【０００３】
しかし、発光ダイオードからの光を直接的に外部に放っているため輝点が目立ちすぎて、アクセント光と言えども一般家庭向けにソフトに演出する照明効果が得られにくい面があると思われる。従って、本発明は、一般家庭用として比較的ソフトなアクセント光を放つ照明装置を提供することを目的とする。
【課題を解決するための手段】
【０００４】
第一発明は、下記要件(A)〜(C)を備えた照明装置である。
(A) 照明器具本体の下面にグローブを設ける。
(B) 前記照明器具本体の上面側から支持された複数の光源及び各光源の光を導入する複数の導光飾りを設ける。
(C) 前記導光飾りは前記グローブの外周に近接している。
第二発明は、下記要件(A)〜(C)を備えた照明装置である。
(A) 照明器具本体の下面にグローブを設ける。
(B) 前記照明器具本体の上面側から支持された複数の光源を設ける。
(C) 前記グローブの外周に固定された複数の導光飾りが前記各光源に近接配置されている。
【発明の効果】
【０００５】
第一発明によれば、導光飾りをグローブの外周に近接しているため、あたかもグローブ側から比較的ソフトなアクセント光が放たれているように見える。第二発明によれば、グローブの外周に固定された導光飾りが照明器具本体側の光源に近接配置され、その導光飾りへの光の導入によりグローブ側から比較的ソフトなアクセント光が放たれる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１〜５の第一実施形態は、下記要件(A)〜(C)を備えた照明装置である。
(A) 照明器具本体１の下面にグローブ２を設ける。
(B) 前記照明器具本体１の上面側から支持された複数の光源３及び各光源３の光を導入する複数の導光飾り４を設ける。
(C) 前記導光飾り４は前記グローブ２の外周に近接している。
【０００８】
なお、光源３…と導光飾り４…は略１２０°または略９０°間隔に設けるとよい。また、照明器具本体１の下面、すなわちグローブ２の内部には主光源５となる蛍光ランプが収められ、その主光源５の消灯時などに光源３を点灯させて導光飾り４を光らせるとよい。
【０００９】
さらに詳述すれば、導光飾り４は透明アクリル樹脂などで略Ｌ状などに形成され、導光飾り４内を通過してきた光がその表面(側面)から外部に放たれたり、導光飾り４内で界面反射したきた光が、導光飾り４の端面からアクセント光として放たれる。また、導光飾り４の表面適所に細かな凹または凸を多数形成したり、あるいは多数の点状印刷などを付与すれば、導光飾り４内に導入された光が拡散反射されることにより、導光飾り４の表面(側面)や端面からより均一に露光(発光)される。発光ダイオードなどの光源３はケース６に収められ、導光飾り４の基部はケース６に支持されている。ケース６は照明器具本体１の上面に設けた支持部材７で支持され、支持部材７の内部または下面にはリード線８が配線されている。そのリード線８は照明器具本体１の内部から適宜箇所で上面に引き出されて支持部材７に通され、光源３に接続されている。
【００１０】
第一実施形態によれば、導光飾り４をグローブ２の外周に近接しているため、あたかもグローブ２側から比較的ソフトなアクセント光が放たれているように見える。
【００１１】
図６〜１０の第二実施形態は、下記要件(A)〜(C)を備えた照明装置である。
(A) 照明器具本体１１の下面にグローブ１２を設ける。
(B) 前記照明器具本体１１の上面側から支持された複数の光源１３を設ける。
(C) 前記グローブ１２の外周に固定された複数の導光飾り１４が前記各光源１３に近接配置されている。
【００１２】
なお、グローブ１２を照明器具本体１１に正規に取り付けた状態で、グローブ１２側の導光飾り１４の位置が照明器具本体１１側の光源１３に整合されて、各導光飾り１４が各光源１３に近接配置されるものとなる。また、光源１３…と導光飾り１４…は略１２０°または略９０°間隔に設けるとよい。また、照明器具本体１１の下面、すなわちグローブ１２の内部には主光源１５となる蛍光ランプが収められ、その主光源１５の消灯時などに光源１３を点灯させて導光飾り１４を光らせるとよい。
【００１３】
さらに詳述すれば、導光飾り１４は透明アクリル樹脂などで略Ｌ状などに形成され、導光飾り１４内を通過してきた光がその表面(側面)から外部に放たれたり、導光飾り１４内で界面反射したきた光が、導光飾り１４の端面からアクセント光として放たれる。また、導光飾り１４の表面適所に細かな凹または凸を多数形成したり、あるいは多数の点状印刷などを付与すれば、導光飾り１４内に導入された光が拡散反射されることにより、導光飾り１４の表面(側面)や端面からより均一に露光(発光)される。発光ダイオードなどの光源１３はケース１６に収められ、ケース１６は照明器具本体１１の上面に設けた支持部材１７で支持され、支持部材１７の内部または下面にはリード線１８が配線されている。そのリード線１８は照明器具本体１１の内部から適宜箇所で上面に引き出されて支持部材１７に通され、光源１３に接続されている。
【００１４】
第二実施形態によれば、グローブ１２の外周に固定された導光飾り１４が照明器具本体１１側の光源１３に近接配置され、その導光飾り１４への光の導入によりグローブ１２側から比較的ソフトなアクセント光が放たれる。
【図面の簡単な説明】
【００１５】
【図１】第一実施形態を示す部分上面図
【図２】同正面図
【図３】同分解正面図
【図４】(A) 同要部の透視正面図、(B) 同側断面図
【図５】同要部の一部破断斜視図
【図６】第二実施形態を示す部分上面図
【図７】同正面図
【図８】同分解正面図
【図９】(A) 同要部の一部破断正面図、(B) 同側断面図
【図１０】同要部の一部破断斜視図
【符号の説明】
【００１６】
１  照明器具本体
２  グローブ
３  光源
４  導光飾り
１１  照明器具本体
１２  グローブ
１３  光源
１４  導光飾り
【図１】
2005158546.tif 000003
【図２】
2005158546.tif 000004
【図３】
2005158546.tif 000005
【図４】
2005158546.tif 000006
【図５】
2005158546.tif 000007
【図６】
2005158546.tif 000008
【図７】
2005158546.tif 000009
【図８】
2005158546.tif 000010
【図９】
2005158546.tif 000011
【図１０】
2005158546.tif 000012